(57)【特許請求の範囲】
【請求項１】
巻芯へ向けて所定速度で走行し該巻芯に巻取られる可撓材が、前記巻芯へ供給される行程で、前記可撓材に粘着保護シートを貼り合せる貼合装置であって、
前記可撓材に接触するタッチロールと、
前記タッチロールに前記可撓材を隔て対向する位置に設けられ、前記タッチロールに近接し、又は前記タッチロールから後退する移動ロールと、
回転機で回転させられることにより前記可撓材が前記巻芯へ供給される速度に同期する速度で前記粘着保護シートを走行させて巻取るリードロールと、
前記リードロールと前記移動ロールとの間で、前記粘着保護シートを切断するカッタとを備え、
前記リードロールを回転させることにより前記可撓材が前記巻芯へ供給される速度に同期する速度で前記粘着保護シートを前記リードロールへ向けて走行させて前記可撓材と前記粘着保護シートとの速度を一致させ、
次に、前記移動ロールを前記タッチロールに近接させて前記移動ロールに支持された前記粘着保護シートを、走行し続ける前記可撓材に押付けることにより前記可撓材と前記粘着保護シートとを貼り合せた状態で互いに同速度で走行させ、
次に、前記カッタにより前記粘着保護シートを切断することにより前記可撓材に貼り合わされた前記粘着保護シートを前記可撓材と共に前記巻芯へ向けて移動させることを特徴とする貼合装置。
【請求項２】
前記粘着保護シートを切断することにより前記可撓材に貼り合わされた前記粘着保護シートが前記可撓材と共に前記巻芯へ向けて移動する行程で、前記粘着保護シートと前記可撓材とを相互に押付ける一対のニップロールを備えることを特徴とする請求項１に記載の貼合装置。
【発明の詳細な説明】
【技術分野】
【０００１】
本発明は、巻取機の巻芯で巻取られるフィルム等の可撓材に保護フィルムを貼り合せる
貼合装置に関する。
【背景技術】
【０００２】
可撓材として、可塑性樹脂を成形機で帯状に成形したものが知られる。巻取機は、可撓
材を巻芯で巻取ることによりロール物を形成する。この過程で、巻芯の周りで可撓材同士
が圧接し、又は擦れることに起因して、可撓材の表面が微細ながら損傷することがある。
例えば、液晶パネル等に積層する部品として可撓材が使われる場合、上記の損傷が問題と
なる。これを予防するために、可撓材に保護シートを重ね合わせることが特許文献１に開
示されている。
【特許文献１】特開２００６−３２１６５２号公報
【発明の開示】
【発明が解決しようとする課題】
【０００３】
上記の成形機が始動した直後、可撓材の品質が安定しないことがある。巻取機は、始動
した直後の成形機から供給される可撓材を巻芯で巻取り、可撓材の品質が安定するのを待
って、新たな巻芯で後続の可撓材を巻取るようにしている。保護シートは、ロール状に巻
回された原反として準備される。巻出機が保護シートの原反を解くに従って、保護シート
の始端は原反から繰出される。巻取機が上記のように巻芯を新たな巻芯に入換える間、成
形機による可撓材の供給、及び巻取機の動作が途切れることはない。このため、可撓材は
成形機から巻芯へ向って走行し続けるので、保護シートの始端を可撓材に位置決めする作
業は難しく、作業者の熟練を要する。
【０００４】
そこで、本発明は、可撓材に粘着保護シートを人手によらず貼り合せる貼合装置を提供
することを目的とする。
【課題を解決するための手段】
【０００５】
本発明に係る貼合装置は、巻芯へ向けて所定速度で走行し該巻芯に巻取られる可撓材が、前記巻芯へ供給される行程で、前記可撓材に粘着保護シートを貼り合せる貼合装置であって、前記可撓材に接触するタッチロールと、前記タッチロールに前記可撓材を隔て対向する位置に設けられ、前記タッチロールに近接し、又は前記タッチロールから後退する移動ロールと、回転機で回転させられることにより前記可撓材が前記巻芯へ供給される速度に同期する速度で前記粘着保護シートを走行させて巻取るリードロールと、前記リードロールと前記移動ロールとの間で、前記粘着保護シートを切断するカッタとを備え、前記リードロールを回転させることにより前記可撓材が前記巻芯へ供給される速度に同期する速度で前記粘着保護シートを前記リードロールへ向けて走行させて前記可撓材と前記粘着保護シートとの速度を一致させ、次に、前記移動ロールを前記タッチロールに近接させて前記移動ロールに支持された前記粘着保護シートを、走行し続ける前記可撓材に押付けることにより前記可撓材と前記粘着保護シートとを貼り合せた状態で互いに同速度で走行させ、次に、前記カッタにより前記粘着保護シートを切断することにより前記可撓材に貼り合わされた前記粘着保護シートを前記可撓材と共に前記巻芯へ向けて移動させることを特徴とする。
【０００６】
更に、本発明に係る貼合装置は、前記粘着保護シートを切断することにより前記可撓材に貼り合わされた前記粘着保護シートが前記可撓材と共に前記巻芯へ向けて移動する行程で、前記粘着保護シートと前記可撓材とを相互に押付ける一対のニップロールを備えることを特徴とする。
【発明の効果】
【０００７】
本発明に係る貼合装置によれば、移動ロールがタッチロールから後退することにより、
移動ロールに支持された粘着保護シートが、タッチロールから退くことになる。この状態
で、リードロールが、可撓材が巻芯へ供給される速度に同期する速度で、粘着保護シート
を巻取るので、可撓材と粘着保護シートとの速度が一致する。
【０００８】
続いて、移動ロールがタッチロールに近接することにより、移動ロールに支持された粘
着保護シートが、巻芯へ向って走行し続ける可撓材に押付けられる。この状態で、互いに
同速度で走行する粘着保護シートと可撓材両者とを粘着させるため、両者の安定した貼り
合せを実現することができる。
【０００９】
上記のように、粘着保護シートと可撓材とが貼り合わされた直後、カッタが粘着保護シ
ートをリードロールと移動ロールとの間で切断する。そして、粘着保護シートのカッタに
切断された切口よりもリードロールに近い部位はリードロールに巻取られる。一方、粘着
保護シートのカッタに切断された切口よりも移動ロールに近い部位は、可撓材と共に巻芯
へ向けて移動し、巻芯に巻取られるときに可撓材に折り重なる。従って、当該貼合装置に
よれば、粘着保護シートを人手によらず可撓材に貼り合せることができる。
【００１０】
更に、本発明に係る貼合装置によれば、可撓材がタッチロールから巻芯へ向う行程で、
一対のニップロールが、粘着保護シートと可撓材とを相互に押付け、両者を密着させるこ
とができる。これにより、両者の間に空気が浸入する隙間を無くし、可撓材に粘着した粘
着保護シートが、巻芯に達する前に可撓材から剥離するのを予防できる。
【発明を実施するための最良の形態】
【００１１】
図１は、巻取機の巻芯１に巻取られる可撓材２が、成形機から巻芯１へ向けて供給され
る行程で、可撓材２に粘着保護シート３を貼り合せる貼合装置４を示している。貼合装置
４は、可撓材２に接触するタッチロール５と、タッチロール５に可撓材２を隔て対向する
移動ロール６と、移動ロール６を昇降させる移動手段７と、粘着保護シート３を巻取るリ
ードロール８と、粘着保護シート３を切断するカッタ９と、一対のニップロール１０とを
備える。
【００１２】
可撓材２は、幅方向に広がる一面２１及び他面２２を有する帯状のフィルムであり、そ
の長手方向に延びる側縁が図中に線として表れている。粘着保護シート３は、可撓材２に
密接したときに自重で可撓材２から脱落しない程度の粘着力を有する柔軟な材料から成る
ものであれば良い。
【００１３】
タッチロール５は、可撓材２の一面２１に接触することで、可撓材２がその上方へ撓む
のを規制している。また、タッチロール５は、その円筒状の胴部が可撓材２の幅方向に延
びる軸を中心に自在に回転することができる。この点は他のロールについても同様である
。貼合装置４を構成する要素は、特に断らない限り筐体１１に支持されているものとする
。符号１２は、粘着保護シート３を可撓材２の他面２２に対面する姿勢にしてリードロー
ル８へ案内するガイドロールを指している。
【００１４】
移動ロール６は、移動手段７のスイングアーム７１の先端に軸受されている。スイング
アーム７１は、その基端に接合された支軸７２を筐体１１の適所で軸受されている。移動
手段７は、移動ロール６がタッチロール５に近接するよう上昇する方向、又は移動ロール
６がタッチロール５から後退するよう下降する方向に、スイングアーム７１を旋回させる
ものである。移動手段７の駆動源として、例えば支軸７２を矢印α方向、又はその逆方向
へ回転させる減速機付きモータ等の回転機を適用しても良い。或いは、スイングアーム７
１の先端から基端までの途中に、エアシリンダピストンロッドをピン接続し、このピスト
ンロッドの進退に従わせてスイングアーム７１を上記のように旋回させても良い。
【００１５】
リードロール８は、胴部８１の周面に複数の通気孔８２を開放している。胴部８１の内
部にはエアブロワの吸気口が接続している。このエアブロワを起動させると、複数の通気
孔８２に負圧が導かれ、粘着保護シート３を胴部８１の周面に吸引する吸引力が発生する
。更に、リードロール８の胴部８１が回転機で回転されることにより、粘着保護シート３
を胴部８１の周りに巻付けることができる。
【００１６】
カッタ９は、リードロール８に巻取られる粘着保護シート３がリードロール８へ向う行
程で、粘着保護シート３を切断するものである。粘着保護シート３の切断を瞬時に行える
ように、粘着保護シート３の幅方向に延びる直線刃をカッタ９の主体とし、この直線刃を
粘着保護シート３に切込ませることが望ましい。また、カッタ９にエアシリンダピストン
ロッドを接続し、このピストンロッドの進退に従わせてカッタ９を粘着保護シート３に進
退させても良い。
【００１７】
貼合装置４の動作を以下に説明する。図１は、移動ロール６がタッチロール５の下方へ
後退し、移動ロール６に支持された粘着保護シート３が、可撓材２及びタッチロール５か
ら退いた状態を示している。可撓材２は、タッチロール５から一対のニップロール１０を
通過するまで矢印Ｔ方向に走行する。
【００１８】
先ず、リードロール８の胴部８１に、巻出機から繰出される粘着保護シート３の始端又
はその付近を接触させ、胴部８１を回転させることにより、粘着保護シート３をリードロ
ール８に巻取らせる。このとき、巻出機から繰出される粘着保護シート３は、可撓材２が
巻芯１へ供給される速度に同期する速度でリードロール８へ向って走行するので、可撓材
２と粘着保護シート３との速度が一致する。
【００１９】
続いて、移動ロール６が上昇しタッチロール５に近接する。これにより、移動ロール６
に支持された粘着保護シート３は、図２に示すように、矢印Ｔ方向に走行し続ける可撓材
２に押付けられる。この状態で、可撓材２と粘着保護シート３とが互いに同速度で走行し
、可撓材２の他面２２に粘着保護シート３が粘着するため、両者の安定した貼り合せを実
現することができる。
【００２０】
上記のように、可撓材２と粘着保護シート３とが貼り合わされた直後、カッタ９が粘着
保護シート３をリードロール８と移動ロール６との間で切断する。そして、粘着保護シー
ト３のカッタ９に切断された切口よりもリードロール８に近い部位３１はリードロール８
に巻取られる。
【００２１】
一方、粘着保護シート３のカッタ９に切断された切口よりも移動ロール６に近い部位３
２は、図３に示すように、可撓材２と共に巻芯１へ向けて移動し、一対のニップロール１
０の間を通過するときに、粘着保護シート３自体に折り重なる。更に、粘着保護シート３
の部位３２は、巻芯１に巻取られるときにも、それ自体に折り重なる。
【００２２】
従って、貼合装置４によれば、粘着保護シート３を人手によらず可撓材２に貼り合せる
ことができる。また、粘着保護シート３と可撓材２とは、一対のニップロール１０によっ
て相互に押付けられ密着する。これにより、両者の間に空気が浸入する隙間を無くし、可
撓材２に粘着した粘着保護シート３が、巻芯１に達する前に可撓材２から剥離するのを予
防できる。
【００２３】
尚、本発明は、その趣旨を逸脱しない範囲で当業者の知識に基づき種々なる改良、修正
、又は変形を加えた態様で実施できる。例えば、移動ロール６は水平方向に移動しても良
い。また、一対のニップロール１０を省略しても良い。
【産業上の利用可能性】
【００２４】
本発明に係る貼合装置により粘着保護シートを貼り合せできる可撓材の材料は、樹脂に
限定されることはなく、織布、皮革、金属薄膜、又は紙等のように巻取機で巻取できるも
のであれば良い。
【図面の簡単な説明】
【００２５】
【図１】本発明の実施形態に係る貼合装置の動作の一例を示す概略図。
【図２】本発明の実施形態に係る貼合装置の動作の他例を示す概略図。
【図３】本発明の実施形態に係る貼合装置の要部を示す側面図。
【符号の説明】
【００２６】
１：巻芯
２：可撓材
３：粘着保護シート
４：貼合装置
５：タッチロール
６：移動ロール
８：リードロール
９：カッタ
１０：ニップロール
【図１】
0004858994.tif 000002
【図２】
0004858994.tif 000003
【図３】
0004858994.tif 000004